(57)【要約】【課題】ＶＣＭで撮影ユニットを光軸方向へ移動させるにあたり、撮影ユニットをいままでよりも短時間のうちに停止させることができる撮影装置およびその撮影装置を備えた携帯機器を提供する。【解決手段】撮影レンズを備える撮影ユニットを駆動する例えばＶＣＭのコイル１０２に徐々に変化する電流信号を供給する。ＣＰＵ２３０からの信号に応じてＶＣＭ駆動回路１３１内の電流信号生成回路でステップ状の電流信号を生成して図７（ａ）に示す回路に入力することにより図７（ａ）の電流波形変換回路からコイル１０２に対して徐々に変化する電流信号を出力させる。このことにより撮影ユニットをゆっくりと始動させてコイルを支持しているばねを刺激せずに所定の位置に撮影ユニットを素早く移動させるとともに所定の位置に即時停止させる。【選択図】図７
2008092200.tif 000002
【特許請求の範囲】
【請求項１】
撮影レンズと、該撮影レンズ後方に配備された撮像素子と、磁界を形成するマグネットと該磁界内に配置され電流の入力により光軸方向の力を受けて該撮影レンズを該電流信号に応じた位置に移動させるコイルとを備え、前記撮影レンズを保持するとともに該撮影レンズを光軸方向の、電流信号に応じた位置に移動させるレンズ駆動部と、撮影レンズを移動させるにあたり、該レンズ駆動部に、撮影レンズの、移動前の位置に応じた電流信号から移動後の位置に応じた電流信号に徐々に変化する電流信号を与える移動制御部とを備えたことを特徴とする撮影装置。
【請求項２】
前記移動制御部は、撮影レンズの移動前の位置に応じた電流信号から移動後の位置に応じた電流信号へとステップ状に変化する電流信号を生成する電流信号生成回路と、前記電流信号生成回路で生成されたステップ状に変化する電流信号を入力して、撮影レンズの移動前の位置に応じた電流信号から移動後の位置に応じた電流信号へと徐々に変化する電流信号を生成して前記レンズ駆動部に供給する電流波形変換回路とを備えたことを特徴とする請求項１記載の撮影装置。
【請求項３】
前記移動制御部は、撮影レンズの移動前の信号に応じた電圧信号から移動後の位置に応じた電圧信号へと徐々に変化する電圧信号を生成する電圧信号生成回路と、前記電圧信号生成回路で生成された電圧信号を電流信号に変換して前記レンズ駆動部に供給する電圧―電流変換回路とを備えたことを特徴とする請求項１記載の撮影装置。
【請求項４】
前記電圧信号生成回路が、撮影レンズの移動前の位置に応じたデジタルデータから移動後の位置に応じたデジタルデータへと徐々に変化するデジタルデータを入力してアナログ電圧信号に変換するＤ−Ａコンバータであることを特徴とする請求項３記載の撮影装置。
【請求項５】
撮影レンズと該撮影レンズ後方に配備された撮像素子とを備えた撮影装置が組み込まれた携帯機器において、
前記撮影装置が、さらに、
前記撮影レンズを保持し、該撮影レンズを、光軸方向の、電流信号に応じた位置に移動させるレンズ駆動部と、撮影レンズを移動させるにあたり、該レンズ駆動部に、撮影レンズの、移動前の位置に応じた電流信号から移動後の位置に応じた電流信号に徐々に変化する電流信号を与える移動制御部とを備えたことを特徴とする携帯機器。
【発明の詳細な説明】
【技術分野】
【０００１】
本発明は、撮影レンズとその撮影レンズ後方に配備された撮像素子とを備えた撮影装置およびその撮影装置を備えた携帯機器に関する。
【背景技術】
【０００２】
最近の携帯電話機には撮影装置が搭載されているものが多い。撮影装置を携帯電話機に搭載するにあたっては、携帯電話機自体が小型薄型構造であるために、ぞの携帯電話機に搭載される撮影装置はその携帯電話機の小型薄型構造以上に小型薄型構造であることが要求される。
【０００３】
こうした小型薄型構造であることが要求される撮影装置にあっては、撮影レンズを保持する部分の構造やその撮影レンズを光軸方向に移動させるレンズ駆動部の構造の簡素化を図るためにボイスコイルモータが用いられているものがある(例えば特許文献１、２参照)。
【０００４】
図１は、ボイスコイルモータを備えた撮影装置の構成の一例を示す図である。
【０００５】
図１に示す撮影装置には、撮影レンズ１０と撮影レンズ１０を駆動するためのボイスコイルモータ（以降ＶＣＭという）を備えるレンズモジュール１００と、そのレンズモジュール１００が備える撮影レンズの後方に配備された撮像素子１０３と、その撮像素子１０３で生成された画像信号に基づいて撮影レンズの駆動方向および駆動位置を示す信号を生成する撮像回路１２と、レンズモジュール１００が備えるＶＣＭを上記撮像回路１２からの駆動方向および駆動位置を示す信号に応じて駆動するＶＣＭ駆動回路１３とが備えられている。なお図１に示すレンズモジュール１００と撮像素子１０３とは実際には一体的に構成されているので、以降の説明においては、それらを総称して撮影ユニット１０と記載する。
【０００６】
図２は、その撮影ユニット１０内部の構成を説明する図である。
【０００７】
図２（ａ）には、撮影ユニット１０の内部の構成が示されており、図２（ｂ）には、図１に示すＶＣＭ駆動回路１３により撮影ユニット１０内のＶＣＭが備えるコイル１０２ａ，１０２ｂが通電されそれらのコイル１０２ａ，１０２ｂとともに撮影レンズ１０００が移動した後の状態が点線で示されている。
【０００８】
図２（ａ）、図２（ｂ）には、図１に示す撮影ユニット１０が備える２つのマグネット１０１ａ，１０１ｂと、各々のマグネット１０１ａ，１０１ｂにより形成された磁界内に配置され電流の入力により光軸方向の力を受けて撮影レンズ１０００を電流信号に応じた位置に移動させる２つのコイル１０２ａ，１０２ｂが撮影レンズ１０００の両側に備えられていることが示されている。なお、実際にはレンズを保持する保持部に基板が固定されていてそれらの基板上にコイルとなる巻き線がそれぞれ形成されている。
【０００９】
図２（ａ）、図２（ｂ）を参照して構成を説明する。
【００１０】
図２（ａ）、図２（ｂ）に示す様に撮像素子１０３は、撮像素子１０３の外形よりも大きな基板１１０の中央に固定されており、またその基板１１０の、撮像素子１０３を挟んだ両側にはばねＳＰ１，ＳＰ２が設けられている。これらのばねＳＰ１，ＳＰ２に上記２つのコイル１０２ａ，１０２ｂがそれぞれ伸縮自在に支持され、それらのコイル１０１ａ，１０１ｂによって撮影レンズ１０００が両側から保持されている。さらにそれらのコイル１０１ａ，１０１ｂの外側にマグネット１０１ａ，１０１ｂがそれぞれ配設されている。なお、各マグネット１０１ａ，１０１ｂには、Ｎ極とＳ極とが並べて設けられている。またそれらのマグネット１０１ａ，１０１ｂにより形成される磁界中に配置されるコイル１０２ａ，１０２ｂが、図２の撮影レンズ１０００を挟んで上下に設けられていてそれらの２つのコイル１０２ａ，１０２ｂと２つのマグネット１０１ａ，１０１ｂとがそれぞれ協力して撮影レンズ１０００をばね付勢に逆らってあるいはばね付勢されている方向へ移動させることになる。
【００１１】
つまり、２つのＶＣＭが備える一方のコイル１０２ａと他方のコイル１０２ｂとの双方に外部のＶＣＭ駆動回路１３から電流が供給されると、双方のマグネット１０１ａ、１０１ｂにより形成される磁界中に在るコイル１０２ａ，１０２ｂそれぞれに磁界が発生してマグネット１０１ａとコイル１０２ａとの相互作用によってコイル１０２ａとともに撮影レンズ１０００が移動するとともに、マグネット１０１ｂとコイル１０２ｂとの相互作用によってもコイル１０２ｂとともに撮影レンズ１０００が光軸方向に移動する。
【００１２】
図３は、コイル１０２に供給される電流と撮影レンズを内蔵する撮影ユニット１０の変位を示す図である。
【００１３】
図３（ａ）には、撮影ユニット１０を、移動する前の位置から移動後の位置に移動させるときにコイル１０２ａ，１０２ｂに供給される電流の入力波形が示されており、図３（ｂ）には、その入力波形によりコイル１０２ａ、１０２ｂに電流が流れたときにそれらのコイル１０２ａ、１０２ｂに流れる電流とマグネット１０１ａ，１０１ｂの相互作用による力を受けて光軸方向に移動する撮影レンズ１０００の変位が示されている。なお図３（ａ）の縦軸は、駆動電流であり、横軸は時間（秒）である。また図３（ｂ）の縦軸は、撮影レンズの変位であり、横軸は時間（秒）である。
【００１４】
例えば、図３（ａ）に示す様にコイル１０２ａ，１０２ｂにステップ状に８０ｍＡの電流がそれぞれ通電されると、撮影レンズ１０００は移動前の位置から０.４５ｍｍ付近の位置にまで移動して停止する。
【００１５】
しかし、図２に示す構造では、ばね部材ＳＰ１，ＳＰ２により光軸方向に伸縮自在にコイル１０２ａ，１０２ｂが支持されているため、ステップ状の信号がコイル１０２ａ，１０２ｂに供給されてコイル１０２ａ，１０２ｂが撮影レンズ１０００とともに勢い良く移動すると、コイル１０２ａ，１０２ｂを支持しているばねＳＰ１,ＳＰ２に急に大きな外力が加えられたことによりばねＳＰ１，ＳＰ２が振動してしまって図３（ｂ）に示す例の場合には０．２秒の時間が経過してからゆっくりと撮影ユニットが停止することになってしまう。
【００１６】
携帯電話機等の小型薄型構造のものに撮影レンズなどの移動体を配設する場合においては、図２に示す様に撮影レンズを移動自在に保持するために弾性力を持つばね等を用いて撮影レンズ等を保持することが多い。
【特許文献１】実用新案登録第３１２０５９９号公報
【特許文献２】特開２００５−５０５１９号公報
【発明の開示】
【発明が解決しようとする課題】
【００１７】
本発明は、上記事情に鑑み、ＶＣＭで撮影ユニットを光軸方向へ移動させるにあたり、撮影ユニットをいままでよりも短時間のうちに停止させることができる撮影装置およびその撮影装置を備えた携帯機器を提供することを目的とする。
【課題を解決するための手段】
【００１８】
上記目的を達成するための本発明の撮影装置は、撮影レンズと、その撮影レンズ後方に配備された撮像素子と、磁界を形成するマグネットと磁界内に配置され電流の入力により光軸方向の力を受けて撮影レンズを電流信号に応じた位置に移動させるコイルとを備え、上記撮影レンズを保持するとともに、光軸方向の、電流信号に応じた位置にその撮影レンズを移動させるレンズ駆動部と、撮影レンズを移動させるにあたり、そのレンズ駆動部に、撮影レンズの、移動前の位置に応じた電流信号から移動後の位置に応じた電流信号に徐々に変化する電流信号を与える移動制御部とを備えたことを特徴とする。
【００１９】
上記本発明の撮影装置によれば、上記レンズ移動制御部の制御の下に上記レンズ駆動部によって上記撮影レンズが移動前の位置に保持されているときに、撮影レンズの、移動前の位置に応じた電流信号から移動後の位置に応じた電流信号に徐々に変化する電流信号が上記レンズ駆動部を構成するＶＣＭのコイルに供給されて撮影レンズが移動後の位置にまで移動する。
【００２０】
つまり上記移動制御部の制御の下にレンズ駆動部であるＶＣＭで撮影レンズを電流信号に応じた位置に移動させるにあたって、撮影レンズをゆっくりと始動させた後徐々にスピード速めて目的の位置まで移動させ停止させることができる。
【００２１】
そうすると、例えば、撮影レンズが弾性力を持つばね等で支持されていたとしてもそのばねに徐々に外力を加えて振動を抑制しつつ撮影レンズを駆動することができるので撮影レンズを所定の位置に短時間のうちに停止させることができる。
【００２２】
ここで上記移動制御部は、撮影レンズの移動前の位置に応じた電流信号から移動後の位置に応じた電流信号へとステップ状に変化する電流信号を生成する電流信号生成回路と、上記電流信号生成回路で生成されたステップ状に変化する電流信号を入力して、撮影レンズの移動前の位置に応じた電流信号から移動後の位置に応じた電流信号へと徐々に変化する電流信号を生成して上記レンズ駆動部に供給する電流波形変換回路とを備えた態様であっても良く、あるいは
上記移動制御部は、撮影レンズの移動前の信号に応じた電圧信号から移動後の位置に応じた電圧信号へと徐々に変化する電圧信号を生成する電圧信号生成回路と、上記電圧信号生成回路で生成された電圧信号を電流信号に変換して上記レンズ駆動部に供給する電圧―電流変換回路とを備えたものであっても良い。
【００２３】
ここで上記電圧信号生成回路と上記電流変換回路とで上記移動制御部を構成する場合には、その電圧信号生成回路が、撮影レンズの移動前の位置に応じたデジタルデータから移動後の位置に応じたデジタルデータへと徐々に変化するデジタルデータを入力してアナログ電圧信号に変換するＤ−Ａコンバータであることが好ましい。
【００２４】
そうすると、ＣＰＵ等のプロセッサでＤ−Ａコンバータを制御することができるため、上記電圧信号生成回路周辺の構成が簡単になる。またＤ−Ａコンバータを用いると、ＣＰＵの周辺素子としてそのＤ−Ａコンバータと後段の電圧―電流変換回路を１チップ化することもできる。
【００２５】
また上記課題を達成する本発明の携帯機器は、撮影レンズとその撮影レンズ後方に配備された撮像素子とを備えた撮影装置が組み込まれた携帯機器において、
上記撮影装置が、さらに、
上記撮影レンズを保持し、その撮影レンズを、光軸方向の、電流信号に応じた位置に移動させるレンズ駆動部と、撮影レンズを移動させるにあたり、そのレンズ駆動部に、撮影レンズの、移動前の位置に応じた電流信号から移動後の位置に応じた電流信号に徐々に変化する電流信号を与える移動制御部とを備えたことを特徴とする。
【発明の効果】
【００２６】
以上、説明したように、本発明によれば、ＶＣＭで撮影ユニットを光軸方向へ移動させるにあたり、撮影ユニットをいままでよりも短時間のうちに停止させることができる撮影装置およびその撮影装置を備えた携帯機器が実現する。
【発明を実施するための最良の形態】
【００２７】
以下、図面を参照して本発明の実施の形態を説明する。
【００２８】
図４〜図６は、本発明の撮影装置を備えた携帯電話機２００の構成の一例を示す図である。
【００２９】
図４および図５は、携帯電話機２００の表面および裏面を示す斜視図である。
【００３０】
この携帯電話機２００は、上部２１０と下部２２０とからなり、折り畳み式となっている。
【００３１】
この携帯電話機２００の上部２１０には、表示画面２１１、送話口２１２、アンテナ２１３および裏面に配備されたカメラ用撮影レンズ２１４が備えられており、下部２２０には操作キー２２１や受話口２２２が備えられている。
【００３２】
図６は、図４、図５に外観を示す携帯電話機の内部構成を示すブロック図である。
【００３３】
この携帯電話機２００は、ＣＰＵ２３０でその全体が制御されるように構成されている。このＣＰＵ２３０には揮発性のメモリであるＲＡＭ２３１、不揮発性のメモリであるＲＯＭ２３２、図４に示す表示画面２１１を備えた表示部２３３、図４にも示す操作キー２２１、書換可能な不揮発性のメモリである書換可能ＲＯＭ２３４および電源部２３５が配備されている。
【００３４】
ＲＯＭ２３２には、ＣＰＵ２３０で実行されるプログラム等が記憶されており、また、書換可能ＲＯＭ２３４には、パケット通信によりダウンロードされたプログラムが記憶され、そのＲＯＭ２３２や書換可能ＲＯＭ２３４に記憶されたプログラムがＣＰＵ２３０で実行されることにより、この携帯電話機２００の各部の動作が制御される。またＲＡＭ２３１は外部にデータを送信するときなどの作業領域として用いられる。
【００３５】
また表示部２３３には、図４に示す表示画面２１１が備えられており、ＣＰＵ２３０の指示に応じてこの表示画面２１１上に画像が表示される。また操作キー２２１からの操作指示に応じては、ＣＰＵ２３０によってその操作に応じた処理が実行される。
【００３６】
電源部２３５には、電池（図示せず）が装填されその電池からの電力が、ＣＰＵ２３０やそのＣＰＵ２３０の制御の下にこの携帯電話機２００の各部に供給される。
【００３７】
また、この携帯電話機２００には、電話機能を担う構成要素として、図４、図５にも示すアンテナ２１３、送受信部２４１、信号処理部２４２、および通話部２４５が備えられている。この通話部２４３には、図４の受話口２２２の内部に配備されたマイクロホン２４３ａと送話口２１２の内部に配備されたスピーカ２４３ｂが含まれている。
【００３８】
送受信部２４１は、アンテナ２１３での電波の送受信を担う回路要素であり、アンテナ２１３での電波受信により送受信部２４１で得られた信号は信号処理部２４２に入力されて信号処理を受けて通話部２４３のスピーカ２４３ｂから音声として出力される。また、通話部２４３のマイクロホン２４３ａでピックアップされた音声は信号処理部２４２で信号処理を受け送信部２４１を介して電波２１３から電波として送信される。
【００３９】
また、この携帯電話２００はパケット通信機能も備えており、アンテナ２１３および送受信部２４１を介して受信またはパケット信号は、信号処理部２４２で適切な信号処理を受けた後一旦ＲＡＭ２３１に格納され、あるいはダウンロードされたプログラムの場合は書換可能ＲＯＭ２３４に記憶され、操作キー２２１からの指示を受けたＣＰＵ２３０により、そのＲＡＭ２３１内のパケットデータが表示部２３３の表示画面２１１（図４参照）に表示され、あるいは書換可能ＲＯＭに記憶されたプログラムが実行される。
【００４０】
また操作キー２２１で作成されたパケット通信文書等はその作成時点ではＲＡＭ２３１に一旦格納され、操作キー２２１からの送信指示に応じて信号処理部２４１に送られて送信用に信号処理を受け、送受信部２４１およびアンテナ２１３を介して電波として送信される。
【００４１】
ここでこの携帯電話機２００には、撮影機能が搭載されていて、その撮影機能を担う要素として、従来例に記載した構成を持つ撮影装置１が備えられている。
【００４２】
撮影装置１が備える撮像部には、図１に示す撮影ユニット１０が備えられており、撮影ユニット１０内の撮影レンズ１０００を経由して取り込まれた被写体が撮影素子１０３で提示されて画像データが生成される。この撮影素子１０３で得られた画像データは撮像回路１２で処理されてデジタルの画像データに変換され、ＣＰＵ２３０を介して一旦ＲＡＭ２３１に格納され操作キー２２１の操作に応じて表示部２３１の表示画面２１１に表示される。
【００４３】
また、本実施形態の携帯電話機２００が備える撮像部には、図１に示す構成の撮影ユニット１０が備えられているのでその撮影ユニット１０内のコイル１０２ａ，１０２ｂを駆動するためのＶＣＭ駆動回路１３１がＣＰＵ２３０の出力部に配備されている。
【００４４】
本実施形態では、本発明にいうレンズ駆動部が、マグネット１０１ａ，１０１ｂとコイル１０２ａ，１０２ｂとを備えるＶＣＭで構成され、本発明にいう移動制御部の一例がＣＰＵ２３０とＶＣＭ駆動回路１３１とで構成されている。
【００４５】
また本実施形態のＶＣＭ駆動回路１３１内には電流信号生成回路と電流波形変換回路とが配備されていて、撮影レンズ１００を移動させるにあたり、そのＶＣＭ駆動回路１３１が本発明にいうレンズ駆動部の一例であるＶＣＭのコイル１０２ａ、１０２ｂそれぞれに、撮影レンズ１００の、移動前の位置に応じた電流信号から移動後の位置に応じた電流信号に徐々に変化する電流信号を与えている。
【００４６】
ここではＣＰＵ２３０から駆動量に応じた制御信号が供給されてくると、ＶＣＭ駆動回路１３１内の電流信号生成回路でその制御信号に応じてステップ状の電流信号（図６中の波形参照）が生成され生成されたステップ状の電流信号が後段の電流波形変換回路に入力される。なお、電流信号生成回路や電流波形変換回路は、トランジスタ等の回路素子を用いて簡単に構成することができるのでそれを示すために電流波形変換回路の回路例については後述する。その電流波形変換回路に前段の電流信号生成回路からステップ状の電流信号が入力されると、撮影レンズ１０００の移動前の位置に応じた電流信号から移動後の位置に応じた電流信号へと徐々に変化する電流信号がそのＶＣＭ駆動回路１３１内の電流波形変換回路で生成されコイル１０２に供給される。
【００４７】
上述した様に撮影レンズの移動前の位置に応じた電流信号から移動後の位置に応じた電流信号へと徐々に変化する電流信号がコイル１０１ａ，１０１ｂにそれぞれ供給されると、撮影レンズ１０００がばねにあまり力を与えない様にゆっくりと始動して徐々にスピードを速めて所定の位置に達して停止する様になるので、撮影ユニット１０が従来の様に振動してしまって、停止するまでに時間がかかることようなことはなくなる。その結果、ユーザはこの携帯電話機２００が備える撮影装置１でシャッタチャンスにピントのあった撮影をいつでも適時に行なうことができる。
【００４８】
ここで、上述したＶＣＭ駆動回路１３１が備える電流波形変換回路の具体的な回路例を図７を参照して説明する。
【００４９】
図７は、電流波形変換回路１３１の構成の一例を説明する図である。
【００５０】
図７（ａ）には、ＶＣＭ駆動回路１３１が備える電流波形変換回路の具体的な回路構成例が示されており、図７（ｂ）には、図７（ａ）に示す回路に、ＶＣＭ駆動回路１３１の前段の電流信号生成回路からステップ状の電流信号が入力されたときの応答出力波形が示されている。また図７（ｃ）には、その応答出力波形を持つ電流信号によりコイル１０２ａ，１０２ｂが通電されたことによりコイル１０２ａ，１０２ｂとマグネット１０１ａ，１０１ｂの相互作用による力を受けてコイル１０２ａ，１０２ｂとともに撮影レンズ１００が光軸方向に移動したときの変位が示されている。なお図７（ｂ）の縦軸は、駆動電流（ｍＡ）であり、横軸は時間（秒）である。また図７（ｃ）の縦軸は、撮影レンズの変位（ｍｍ）であり、横軸は時間（秒）である。
【００５１】
まず、ＣＰＵ２３０から駆動量を表わす制御信号がＶＣＭ駆動回路１３１に供給されＶＣＭ駆動回路１３１内の電流信号生成回路によりステップ状の電流信号が生成され生成されたステップ状の電流信号が後段の電流波形変換回路に入力されると、図７（ｂ）に示す電流波形を持つ電流信号が出力される。
【００５２】
ここで、図７（ａ）に示す回路の構成を説明する。
【００５３】
図７（ａ）に示すＶＣＭ駆動回路１３１が備える電流波形変換回路は、トランジスタＴＲと抵抗ＲとコンデンサＣとで構成されている。そのトランジスタＴＲのコレクタがＣＰＵ２３０に接続され、トランジスタＴＲのエミッタがＶＣＭが備えるコイル１０２に接続されている。一方、トランジスタＴＲ１のベースにはコンデンサＣが接続されそのコンデンサＣがグランドＧＮＤに接続されている。またトランジスタＴＲのベースとトランジスタＴＲのコレクタとは抵抗Ｒにより接続されている。
【００５４】
次に図７（ａ）に示す電流波形変換回路の動作を説明する。
【００５５】
図７（ａ）の電流波形変換回路の入力端にあたるトランジスタＴＲのコレクタに前段の電流信号生成回路からステップ状の電流信号が入力されると、抵抗Ｒを通してトランジスタＴＲのベースに電流が供給されベース電位が上昇してベースエミッタ間に電位差が生じるためトランジスタＴＲが動作状態になる。
【００５６】
ただし図７（ａ）の電流波形変換回路が備えるトランジスタＴＲのベースとグランドＧＮＤとの間にはコンデンサＣが設けられているので、トランジスタＴＲのコレクタにステップ状の信号が入力されてもベース電位はすぐには上昇せずにコンデンサＣの積分作用により徐々に上昇することになる。このためトランジスタＴＲのベース電位が徐々に上昇する様になってベースエミッタ間の電位差が徐々に大きくなっていくことによりトランジスタＴＲのエミッタから出力される電流信号も徐々に変化して大きくなっていくことになる。
【００５７】
こうして図７（ａ）に示すトランジスタＴＲのコレクタにステップ状の電流信号が入力されると、図７（ｂ）に示す様な徐々に変化する電流信号がコイル１０２ａ，１０２ｂに供給されるので、撮影レンズがその徐々に変化する電流信号に応じて徐々に動き始めてコイル１０２ａ，１０２ｂを支持しているばねＳＰ１，ＳＰ２に対してあまり刺激を与えない様に撮影レンズ１０００の移動を開始させることができる。
【００５８】
したがって従来のようにコイル１０２ａ，１０２ｂを支持しているバネＳＰ１，ＳＰ２に大きな外力がいきなり加えられる様なことがなくなって振動が抑制され、従来よりも短い時間、例えば図７（ｃ）に示す様に０．０５秒内に撮影レンズが停止する様になる。
【００５９】
以上、説明したように、本発明によれば、ＶＣＭで撮影ユニットを光軸方向へ移動させるにあたり、撮影ユニットをいままでよりも短時間のうちに停止させることができる撮影装置およびその撮影装置を備えた携帯機器が実現する。
【００６０】
ところで、携帯電話機に撮影装置を搭載するにあたっては、従来例にも記載した様に小型薄型構造であることが要求される。したがって、ＶＣＭ駆動回路１３１はできる限り１チップつまり集積化して小型化しておきたい。
【００６１】
しかし、第１実施形態では、ＶＣＭ駆動回路１３１内の電流信号生成回路や図７（ａ）に示す電流波形変換回路がトランジスタＴＲやコンデンサＣや抵抗Ｒで構成されているため少々集積化し難い。特に図７（ａ）に示す電流波形変換回路ではコンデンサの容量が大きくなり過ぎて集積化することができない。例えば電流信号生成回路の代わりに、ＣＰＵ２３０で簡単に制御することができるデジタルアナログコンバータ（以降ＤＡＣという）を用いると、ＣＰＵ２３０での制御が簡単になるとともに、上記ＶＣＭ駆動回路を集積化して小型化を達成することができる。
【００６２】
図８は、その小型化を達成可能にした第２の実施形態を説明する図である。
【００６３】
図８は、ＶＣＭ駆動回路１３２を小型化するために１チップ化することを考えてＶＣＭ駆動回路１３２を本発明にいう電圧信号生成回路の一例であるＤＡＣ１３２１と電圧―電流変換回路１３２２とで構成した例を示す図である。
【００６４】
図８に示す様にＣＰＵ２３０からの階段状のデジタルデータの増加に応じて階段状の電圧信号を出力するＤＡＣ１３２１とそのＤＡＣ１３２１から出力された電圧信号を電流信号に変換する電圧―電流変換部１３２２とでＶＣＭ駆動回路１３２を構成しても図７（ａ）の回路を用いて波形変換を行なったのと同等の効果が得られる。
【００６５】
さらに、ＤＡＣ１３１１を用いると、ＣＰＵ２３０が例えば内蔵メモリに記憶されている多種の関数のうちの一つを読み出して時間の経過とともにＤＡＣ１３２１にその関数を表わすデジタルデータを入力していくことにより、その関数のカーブに応じて徐々に変化する電圧信号をＤＡＣ１３１１から出力させることができる。さらにそのＤＡＣ１３２１から出力させた電圧信号を後段の電圧―電流変換回路１３２２で電流信号に変換させることにより、このＤＡＣ１３２１から出力させた電圧信号の波形に応じた電流信号をコイル１０２に供給することが可能となる。
【００６６】
ＣＰＵ２３０は、ＶＣＭ駆動回路１３２の前段にあるＤＡＣ１３２１に時間の経過に応じていろいろなカーブで徐々に増加する電圧信号を出力させることが可能であるので、ＶＣＭ駆動回路１３２の後段にある電圧―電流変換回路からはいろいろなカーブで徐々に増加する電流信号を出力させることができる。
【００６７】
最後にＣＰＵ２３０が移動前の位置に対応するデジタルデータから移動後の位置に対応するデジタルデータに徐々に変化するデジタルデータをＶＣＭ駆動回路１３２に供給してＶＣＭ駆動回路１３２から電流信号を出力させたときの出力例を掲げてＶＣＭ駆動回路１３２の動作を説明する。
【００６８】
図９、図１０は、ＣＰＵ２３０がＶＣＭ駆動回路１３２に時間の経過に応じて徐々に増加するデジタルデータを供給してＶＣＭ駆動回路１３２から徐々に変化する電流信号を出力させた場合の出力波形を説明する図である。
【００６９】
図９（ａ）、図１０（ａ）の横軸は時間であり、縦軸は駆動電流（ｍＡ）である。また図９（ｂ）、図１０（ｂ）の横軸は時間（秒）であり、縦軸はレンズ変位（ｍｍ）である。
【００７０】
図９には、ＣＰＵ２３０が撮影ユニットの移動前の位置に応じたデジタルデータから移動後の位置に応じたデジタルデータへと徐々に変化するデジタルデータをＤＡＣ１３２１に供給して電流―電流変換回路１３２２からそのデジタルデータの変化に応じたカーブを持つ電流信号を出力させコイル１０２に供給した場合の例が示されている。
【００７１】
そうすると、コイル１０２にいきなり電流が加えられることがなくなって撮影ユニットが振動することがなくなるので、撮影ユニットは移動前の位置から移動後の位置にまでゆっくりと移動してすぐに停止する。
【００７２】
また図１０には、図９の例とは異なるカーブを持って徐々に変化するデジタルデータをＤＡＣ１３２１に供給して電圧―電流変換回路１３２２からそのデジタルデータの変化に応じたカーブを持つ電流信号を出力させコイル１０２に供給した場合の例が示されている。
【００７３】
図１０に示す電流信号をコイル１０２に供給しても図９の例と同等の効果が得られる。
【００７４】
いずれにしてもステップ状の電流信号が加えられていきなりコイルに大きな外力が加えられることがなくなるのでばねにより撮影レンズが伸縮自在に支持されていても撮影レンズがばねとともに振動することがなく、短時間のうちに所定の位置に撮影レンズが停止する。
【図面の簡単な説明】
【００７５】
【図１】ボイスコイルモータを備えた撮影装置の構成の一例を示す図である。
【図２】撮影ユニット１０内部の構成を説明する図である。
【図３】コイルに供給される電流と撮影レンズの変位を示す図である。
【図４】本発明の撮影装置を備えた携帯電話機２００の正面側の構成を示す斜視図である。
【図５】本発明の撮影装置を備えた携帯電話機２００の背面側の構成を示す斜視図である。
【図６】本発明の撮影装置を備えた携帯電話機２００の内部の構成を説明する図である。
【図７】ＶＣＭ駆動回路の構成の一例を説明する図である。
【図８】第２の実施形態を説明する図である。
【図９】ＣＰＵ２３０がＤＡＣ１３２１に例えばカーブを持つ関数を表わすデジタルデータを供給して出力信号を得た場合の例を説明する図である。
【図１０】ＣＰＵがＤＡＣに例えば傾斜を持つ関数を表わすデジタルデータを供給して出力信号の波形を得た場合の例を説明する図である。
【符号の説明】
【００７６】
ｌ  撮影装置
１０    撮影ユニット
１００    レンズモジュール
１０００    撮影レンズ
１０１ａ  １０１ｂ    マグネット
１０２    コイル
１０３    撮像素子
ＳＰ１  ＳＰ２    ばね
１２    撮像回路
１３  １３１  １３２  ＶＣＭ駆動回路
１３２１    ＤＡＣ
１３２２    電圧―電流変換回路    
【図１】
2008092200.tif 000003
【図２】
2008092200.tif 000004
【図３】
2008092200.tif 000005
【図４】
2008092200.tif 000006
【図５】
2008092200.tif 000007
【図６】
2008092200.tif 000008
【図７】
2008092200.tif 000009
【図８】
2008092200.tif 000010
【図９】
2008092200.tif 000011
【図１０】
2008092200.tif 000012